(57)【要約】【課題】不正解錠操作に対する耐性の高いシリンダ錠の提供を目的とする。【解決手段】シリンダケース１内に軸長方向への移動が規制されて挿入されるプラグ２と、  プラグ２に空転不能、かつ、軸長方向に移動自在に外嵌合されてシリンダケース１内に挿入され、プラグ２に挿入される解錠キー３による押し込み操作力付与が可能なスリーブ４とを有し、  前記プラグ２には、スリーブ４との間に形成される軸長方向への移動境界を開閉し、適正な解錠キー３により前記移動境界開放位置に駆動されてスリーブ４の軸長方向への移動を許容する適数のタンブラ５が装着され、  解除状態において、スリーブ４に対する初期位置から押し込み位置への押し込み操作が可能になる。【選択図】  図５
2010168741.tif 000002
【特許請求の範囲】
【請求項１】
シリンダケース内に軸長方向への移動が規制されて挿入されるプラグと、
プラグに空転不能、かつ、軸長方向に移動自在に外嵌合されてシリンダケース内に挿入され、プラグに挿入される解錠キーによる押し込み操作力付与が可能なスリーブとを有し、
前記プラグには、スリーブとの間に形成される軸長方向への移動境界を開閉し、適正な解錠キーにより前記移動境界開放位置に駆動されてスリーブの軸長方向への移動を許容する適数のタンブラが装着され、
解錠状態において、スリーブに対する初期位置から押し込み位置への押し込み操作が可能になるシリンダ錠。
【請求項２】
前記タンブラが板状に形成されるとともに、
スリーブの内周壁には、タンブラが係止してプラグに対するスリーブの軸長方向への移動を規制するタンブラ嵌合凹部が形成される請求項１記載のシリンダ錠。
【請求項３】
前記スリーブはシリンダケースに空転自在に挿入されるとともに、初期位置において回転ストッパによりシリンダケースに対する空転が規制され、
スリーブへの押し込み操作によってシリンダケースに対する回転操作が可能になる請求項１または２記載のシリンダ錠。
【請求項４】
シリンダケースに回転自在に連結され、スリーブの押し込み操作に伴って該スリーブに回転方向に連結されるジョイントを有する請求項３記載のシリンダ錠。
【請求項５】
中間部が前記シリンダケースに軸支され、一端部に形成される検知部をスリーブの検出部に圧接させて揺動するストッパレバーを有し、
前記ストッパレバーの他端部には、前記ジョイントに係止して該ジョイントの回転を規制するとともに、スリーブの押し込み位置への移動に伴うストッパレバーの揺動に伴ってジョイントとの係止が解除されるストッパ部が設けられる請求項４記載のシリンダ錠。
【請求項６】
適数の板状のタンブラが装着されてシリンダケース内に軸長方向移動不能に挿入されるプラグと、
プラグに空転不能に外嵌合されてシリンダケースに挿入され、適正な解錠キーをプラグに挿入した解錠状態において軸長方向への移動規制が解除されるとともに、該解錠キーによる初期位置から押し込み位置への押し込み操作が可能なスリーブと、
シリンダケースに空転自在に装着され、スリーブの押し込み位置においてスリーブに回転方向連結されるジョイントと、
初期位置におけるスリーブのシリンダケースに対する相対回転を規制する回転ストッパと、
を有するシリンダ錠。
【発明の詳細な説明】
【技術分野】
【０００１】
本発明は、シリンダ錠に関するものである。
【背景技術】
【０００２】
一般にシリンダ錠は、特許文献１に記載されるように、プラグに装着したタンブラを施錠状態においてスリーブ、あるいはシリンダケースに係止させることによりスリーブに対するプラグの相対回転を規制し（施錠状態）、適正な解錠キーの挿入によりタンブラの飛び出しを解消してプラグの回転を可能にする（解錠状態）ように構成される。
【先行技術文献】
【特許文献】
【０００３】
【特許文献１】特開２００６-２５７６５０号公報
【発明の概要】
【発明が解決しようとする課題】
【０００４】
しかし、上述した従来例における施錠状態は、タンブラによるプラグの回転方向の規制により実現されているために、タンブラのプラグ回転方向でのがたつきを利用した不正解錠操作（ピッキング）に対する耐性に難があるという問題がある。
【０００５】
本発明は、以上の欠点を解消すべくなされたものであって、不正解錠操作に対する耐性の高いシリンダ錠の提供を目的とする。
【課題を解決するための手段】
【０００６】
シリンダ錠は、シリンダケース１内に挿入されるスリーブ４と、スリーブ４内に挿入されるプラグ２とを有し、プラグ２には、周知のシリンダ錠と同様に適数のタンブラ５がスリーブ４との移動境界を開閉するように移動自在に装着される。
【０００７】
タンブラ５は、板状に形成されるディスクタンブラであっても、あるいはピン状のタンブラ５であっても使用することが可能で、ピン状タンブラ５を使用する場合、周知のピン状タンブラを使用したシリンダ錠と同様に、スリーブ４内にはプラグ２中央に付勢されるドライバピンが収容される。
【０００８】
タンブラ５は解錠位置においてのみ一端がスリーブ４との移動境界に位置するように形成され、ピン状のタンブラ５が施錠位置にある場合には、当該タンブラ５がスリーブ４内に進入し、あるいはドライバピンがプラグ２内に進入することによって移動境界が閉塞される。また、タンブラ５として板状のタンブラ５が使用される場合、該タンブラ５は施錠位置においてスリーブ４に形成されるタンブラ嵌合凹部６に進入し、移動境界を閉塞する。
【０００９】
閉塞状態において、スリーブ４はプラグ２に対する軸長方向への移動がタンブラ５により規制され、さらに、プラグ２はシリンダケース１に対して軸長方向の移動を規制されて装着されているために、結果、スリーブ４のシリンダケース１に対する軸長方向への移動が規制される。
【００１０】
上記スリーブ４には、プラグ２に挿入される解錠キー３が当接し、解錠キー３への押し込み力をスリーブ４に伝達するためのキー当接部１３が設けられ、プラグ２にタンブラ配列に合致する適正な解錠キー３が挿入されると、まず、タンブラ５は解錠位置に移動して移動境界の閉塞が解消される。この結果、プラグ２のスリーブ４に対する拘束は解除され、この状態から解錠キー３を押し込むと、スリーブ４はプラグ２に対して軸長方向に相対移動して初期位置から押し込み位置に移動する。
【００１１】
以上のように、本発明によるシリンダ錠は、解錠状態なった後、解錠キー３を使用したスリーブ４の押し込み操作により解錠操作を行うもので、例えば、シリンダケース１に揺動自在に軸支され、一端が施錠対象に係止するフック部材の他端をスリーブ４により押圧して施錠対象との係止を解除することができる。
【００１２】
タンブラ５がタンブラ嵌合凹部６、あるいはドライバピンから離れて押し込み位置に移行した後、初期位置において再び合致することを保証するために、プラグ２とスリーブ４との相対回転は適宜手段により規制される。回転規制手段には、例えば、スリーブ４の内周壁に突設した突部をプラグ２の凹条に嵌合させたり、あるいはプラグ２を矩形等、非円形断面に形成することができる。
【００１３】
また、押し込み位置において、タンブラ５の移動は、スリーブ４の内周壁により規制されているために、解錠キー３の抜去が不能となる。したがって、スリーブの押し込み位置から初期位置への移動は、解錠キー３に抜去方向の操作力を加えることにより行うことができるが、スリーブ４に初期位置側への付勢力を与えておくと、解錠キー３への操作を要することなく初期位置に簡単に復帰させることができる。
【００１４】
したがって本発明において、不正解錠するためには、スリーブ４に押し込み操作力を負荷した状態でタンブラ５に対する不正操作を行う必要があるために、プラグ２に外力を加えてプラグ２内のタンブラ５を不正に操作する場合に比して、操作が非常に困難になる。この結果、高い不正解状操作に対する耐性を発揮することが可能になる。
【００１５】
本発明によるシリンダ錠は、適正な解錠キー３を使用したスリーブ４の押し込み操作により解錠操作を行うものであるが、周知のシリンダ錠と同様に、解錠操作手順に回転操作を加えることができる。この場合、シリンダ錠は、
前記スリーブ４はシリンダケース１に空転自在に挿入されるとともに、初期位置において回転ストッパ７によりシリンダケース１に対する空転が規制され、
スリーブ４への押し込み操作によってシリンダケース１に対する回転操作が可能になるように構成することができる。
【００１６】
施錠状態においてシリンダケース１に対して空転が規制され、解錠状態への移行に伴って空転が許容されるスリーブ４は、軸長方向の移動に伴ってシリンダケース１に形成される被係止部に係脱し、後方への移動に伴って係止が解除される係止部を設けることにより実現できる。
【００１７】
また、この場合、シリンダケース１に回転自在に連結され、スリーブ４の押し込み操作に伴って該スリーブ４に回転方向に連結されるジョイント８を有するシリンダ錠を構成すると、スリーブ４に不正な回転操作力を与えてもジョイント８を回転操作することができないために、より不正操作に対する耐性を向上させることができる。
【発明の効果】
【００１８】
本発明によれば、不正解錠操作にはスリーブへの操作を要するために、不正解錠操作に対する耐性を向上させることができる。
【図面の簡単な説明】
【００１９】
【図１】シリンダ錠を示す図で、（ａ）は正面図、（ｂ）は側面図である。
【図２】シリンダ錠の断面図で、（ａ）は図１（ｂ）の２Ａ-２Ａ線断面図、（ｂ）は図２（ａ）の２Ｂ-２Ｂ線断面図である。
【図３】タンブラの動作を示す図で、（ａ）は図２（ｂ）の３Ａ-３Ａ線断面図、（ｂ）は解錠状態における図２（ｂ）の３Ａ-３Ａ線断面図である。
【図４】図２（ｂ）の４Ａ-４Ａ線断面図である。
【図５】解錠状態を示す図で、（ａ）はスリーブを押し込み位置に押し込み操作した状態を示す図２（ａ）に対応する断面図、（ｂ）は図２（ｂ）に対応する断面図である。
【図６】シリンダ錠の分解斜視図である。
【発明を実施するための形態】
【００２０】
図１以下に示すように、シリンダ錠は、シリンダケース１内にスリーブ４、およびプラグ２を収容して形成され、シリンダケース１後端（以下、本明細書において、プラグ２への解錠キー３の挿入端側を前方とする。）にはジョイント８が空転自在に連結される。
【００２１】
上記プラグ２はスリーブ４を外嵌合させた状態でシリンダケース１内に挿入される。プラグ２の後端にはストッパ突部２ａが突設され、このストッパ突部２ａをジョイント８のストッパ壁８ａに突き当てることによりシリンダケース１に対する軸長方向への移動が規制される。
【００２２】
スリーブ４は、プラグ２に対して軸長方向に移動自在であり、図３、６に示すように、内周壁に形成される回り止め突条４ａをプラグ２側壁に形成された回り止め凹条２ｂに嵌合させることによりプラグ２に対して回転方向に連結される。
【００２３】
プラグ２は断面中心位置に軸長方向に延びるキー挿入溝２ｃを有するとともに、このキー挿入溝２ｃに直交するように、複数のタンブラ装着溝２ｄが所定ピッチで配置される。プラグ２の前端には、トーションスプリング１４により閉塞方向に付勢されるシャッタ部材１５が装着され、プラグ２内部への塵埃、水等の侵入が防止される。
【００２４】
各タンブラ装着溝２ｄには、板状のタンブラ５が移動自在に装着され、図３（ａ）に示すように、圧縮スプリング１６により突出方向に付勢される。スリーブ４には、プラグ２から突出したタンブラ５が嵌合するスリット状のタンブラ嵌合凹部６が形成され、タンブラ５が突出した状態、すなわち、施錠状態におけるプラグ２に対して軸長方向に連結される。
【００２５】
この状態から適正な解錠キー３をプラグ２のキー挿入溝に挿入すると、図３（ｂ）に示すように、タンブラ５はプラグ２内に収容されてタンブラ５とタンブラ嵌合凹部６との嵌合が解除され、結果、プラグ２とスリーブ４との軸長方向への連結状態が解消される。
【００２６】
また、図２に示すように、プラグ２のキー挿入溝２ｃは後方に開放されており、キー挿入溝２ｃの開放端を閉塞するように、スリーブ４の後端にキー当接部１３が形成される。キー当接部１３は、スリーブ４の周壁から中心部に向けて張り出すブロック部４ｂの前面壁を利用して形成され、上述したように、適正な解錠キー３を挿入してプラグ２との連結を解除した後、さらに解錠キー３を押し込むと、解錠キー３の後端によりキー当接部１３が押され、図２に示す初期位置から図５に示す押し込み位置に移動する。
【００２７】
さらに、上記スリーブ４は、シリンダケース１に対して空転自在であり、回転ストッパ７によりシリンダケース１に対する空転が規制される。回転ストッパ７は、図２、６に示すように、スリーブ４の前端に突設され、初期位置においてシリンダケース１の被係止部１ａに係止してシリンダケース１に対する空転が規制され、図５に示すように、押し込み位置において被係止部１ａとの係止が解除されて空転が許容される。
【００２８】
一方、上記ジョイント８は、連結ピン１７を使用してシリンダケース１に空転自在、かつ、脱離不能に連結される。ジョイント８の前端面には上記スリーブ４の後端面に開設されるストローク規制開口４ｃに挿入するストローク設定突部８ｂが突設され、スリーブ４との相対回転角度が規制される。また、スリーブ４とジョイント８との間には、スプリング１８が介装され、ジョイント８を初期回転位置側に付勢されるとともに、スリーブ４を初期位置側に付勢する。
【００２９】
さらに、シリンダケース１には、ストッパレバー１１が連結される。ストッパレバー１１は、シリンダケース１の軸長方向に長い杆状に形成され、中間部において枢軸１１ａ周りに揺動自在に軸支される。ストッパレバー１１の前端には検知部９が形成されるとともに、後端にはストッパ部１２が形成され、圧縮スプリング１１ｂにより検知部９が検出部１０として機能するスリーブ４の先端部外周壁面に圧接するように付勢される。
【００３０】
このストッパレバー１１は、図２（ａ）に示すように、スリーブ４が初期位置にあるときには、検知部９がスリーブ４の先端部に乗り上げた状態で、かつ、ストッパ部１２がジョイント８に形成される係止凹部８ｃに係止してジョイント８のシリンダケース１に対する相対回転を規制する。
【００３１】
この状態からスリーブ４が押し込み位置に移動すると、図５（ａ）に示すように、検知部９は支えを失うために、ストッパレバー１１は圧縮スプリング１１ｂの付勢力により図５（ａ）において反時計回りに回転する。この結果、ストッパ部１２の係止が解除され、回転方向の拘束が解除されたジョイント８は、シリンダケース１に対して空転可能になる。
【００３２】
さらに、上記ジョイント８には、上記スリーブ４のブロック部４ｂが嵌合可能な嵌合凹部８ｄが形成される（図４参照）。嵌合凹部８ｄは、スリーブ４が初期位置から押し込み位置に移動した際にブロック部４ｂが嵌合する位置に配置され、嵌合状態においてスリーブ４への回転操作力がジョイント８に伝達される。
【００３３】
したがってこの実施の形態において、シリンダ錠は、ジョイント８を、図示しないが、ジョイント８の回転操作により解錠される解錠操作対象に連結して使用される。解錠キー３を挿入しない状態においてプラグ２のタンブラ５はスリーブ４のタンブラ嵌合凹部６に嵌合し、スリーブ４を初期位置に拘束する。この状態が施錠状態に対応し、不適正な解錠キー３を挿入してプラグ２に回転操作力を負荷しても、プラグ２に対して空転不能なスリーブ４の回転がストッパレバー１１により規制されているために、プラグ２を回転させることができない。
【００３４】
また、何らかの方法で、スリーブ４を強制回転させても、初期位置にある限り、ブロック部４ｂは嵌合凹部８ｄに嵌合していないために、ジョイント８を回転させることもできない。
【００３５】
この状態から適正な解錠キー３を挿入してスリーブ４を押し込み位置に押し込むと、ストッパレバー１１が揺動してジョイント８の拘束が解除され、さらに、ブロック部４ｂが嵌合凹部８ｄに嵌合してスリーブ４とジョイント８とが回転方向に連結される。この状態で解錠キー３に回転操作力を与えると、ジョイント８が回転し、施解錠対象を解錠状態に遷移させることができる。
【符号の説明】
【００３６】
１        シリンダケース
２        プラグ
３        解錠キー
４        スリーブ
５        タンブラ
６        タンブラ嵌合凹部
７        回転ストッパ
８        ジョイント
９        検知部
１０      検出部
１１      ストッパレバー
１２      ストッパ部
【図１】
2010168741.tif 000003
【図２】
2010168741.tif 000004
【図３】
2010168741.tif 000005
【図４】
2010168741.tif 000006
【図５】
2010168741.tif 000007
【図６】
2010168741.tif 000008